(57)【要約】【課題】直接快適さを感じることができる水洗式空気清浄機を提供する【解決手段】清浄空気の風を利用者に送って清涼感を与えることができる水洗式空気清浄機が示されている。この水洗式空気清浄機は、上部に開口を有し内部に水を蓄えることの可能なポットと、このポットの開口と係合可能な本体と、前記ポットに適量の水が入った状態で前記本体ケースと前記ポットが係合した場合に、前記ポット内の水を前記ポット内において散水可能な散水機構と、前記ポットに適量の水が入った状態で前記本体ケースと前記ポットが係合した場合に、前記ポットの内部に室内から空気を導入し、前記ポットの内部で前記水に接触した清浄空気を外部に排出する吸排気機構とを備えている。特に、前記吸排気機構は、室内空気導入用の開口部と、送風ファンと、この送風ファンを駆動するモーターと、横方向に開口した清浄空気排出用のスリットを含んでいる。【選択図】図１
2011251014.tif 000002
【特許請求の範囲】
【請求項１】
上部に開口を有し内部に水を蓄えることの可能なポットと、
前記ポットの開口と係合可能な本体と、
前記ポットに適量の水が入った状態で前記本体ケースと前記ポットが係合した場合に、前記ポット内の水を前記ポット内において散水可能な散水機構と、
前記ポットに適量の水が入った状態で前記本体ケースと前記ポットが係合した場合に、前記ポットの内部に室内から空気を導入し、前記ポットの内部で前記水に接触した清浄空気を外部に排出する吸排気機構とを備え、
前記吸排気機構は、室内空気導入用の開口部と、送風ファンと、この送風ファンを駆動するモーターと、横方向に開口した清浄空気排出用のスリットを含んでいることを特徴とする水洗式空気清浄機。
【請求項２】
前記本体ケースの上部に直立して設けられ、内部の通気経路に前記清浄空気が導入される排気リングを更に備え、前記スリットは、この排気リングに沿って設けられていることを特徴とする水洗式空気清浄機。
【請求項３】
前記モーターは、前記送風ファンと、前記散水機構との双方を駆動することを特徴とする水洗式空気清浄機。
【請求項４】
前記送風ファンは、遊星ギアを介して前記モーターに係合することで、前記モーターの回転数よりも小さい回転数で回転することを特徴とする水洗式空気清浄機。
【請求項５】
前記散水機構は、遊星ギアを介して前記モーターに係合することで、前記モーターの回転数よりも小さい回転数で回転することを特徴とする水洗式空気清浄機。
【発明の詳細な説明】
【技術分野】
【０００１】
本発明は、水洗式空気清浄機に関するものであり、特に、室内空気を吸い込み水により処理した後に再度室内に戻す水洗式空気清浄機に関する。
【背景技術】
【０００２】
近年、空気中に浮遊する塵や臭いを取り除く為の家庭用の電化製品として、空気清浄機がある。この空気清浄機としては、扇風機やエアコンと同じようにファンによって強制的に空気を吸い込んで、フィルターで濾過し、きれいになった空気を吹き出すという方式のものが主流となっている（特許文献１）。
【０００３】
一方、この種の空気清浄機とは別の原理によるものとして、本件出願人が製造販売している「アロマグリーン」（製品名）のようなタイプのものがある（関連ＵＲＬ：http://www.aromagreen.jp/aromagreen.html）。このタイプの空気清浄機では、空気をポット内に引き込み、シャワー状の水で清浄・脱臭し、きれいになった空気を部屋に排気することにより空気の清浄を行う。この場合、水で空気を洗うという方式なので、フィルターの交換が不要でランニングコストが低く抑えられている。
【０００４】
また、水洗式空気清浄機はフィルターを用いず、構造もシンプルである為、使い勝手が良い小型のエコ製品となっている。更に、その他にも、フィルター方式の空気清浄機には無い多くの特徴を備えている。例えば、この水洗式空気清浄機は、動作中、内部で水が旋回すると共にミスト状の水の微粒子が攪拌されており、その様子を外側から楽しむことができる。これは空気の水洗浄の過程の目視でもあり、心理的に清浄感を与えるという効果もある。また、その構造から視覚的な面白さもあり、インテリアとしてのデザイン性を高めることも容易である。更に、芳香剤を用いれば、心身のリラックス効果も期待できるので、主流の空気清浄機とは異なる一定の需要に応えている。
【先行技術文献】
【特許文献】
【０００５】
【特許文献１】特開２００９−１４２７３７号公報
【発明の概要】
【発明が解決しようとする課題】
【０００６】
上記の通り、視覚的な面白さやインテリアとしての楽しみは別として、水洗式空気清浄機の機能的な効用としては、室内の空気清浄に限られる。主流の空気清浄機と比較して、水洗式空気清浄機には、小型でデザイン性があることから、机の上に置いて利用されるという場面も多い。この特徴に着目して、本件発明者は、水洗式空気清浄機の新たな機能的効用を導入しようと考えた。
【０００７】
そこで、本発明の目的は、水洗式空気清浄機から出た清浄空気の風を、直接利用者自身の方へ送ることの可能な水洗式空気清浄機を提供することである。
【課題を解決するための手段】
【０００８】
上記課題を解決するために、本発明の水洗式空気清浄機は、上部に開口を有し内部に水を蓄えることの可能なポットと、前記ポットの開口と係合可能な本体と、前記ポットに適量の水が入った状態で前記本体ケースと前記ポットが係合した場合に、前記ポット内の水を前記ポット内において散水可能な散水機構と、前記ポットに適量の水が入った状態で前記本体ケースと前記ポットが係合した場合に、前記ポットの内部に室内から空気を導入し、前記ポットの内部で前記水に接触した清浄空気を外部に排出する吸排気機構とを備え、前記吸排気機構は、室内空気導入用の開口部と、送風ファンと、この送風ファンを駆動するモーターと、横方向に開口した清浄空気排出用のスリットを含んでいる。
【０００９】
このような構成とすることにより、清浄空気の風を利用者自身の方へ送ることができ、直接快適さを感じることができる。
【００１０】
また、好適な実施形態では、前記本体ケースの上部に直立して設けられ、内部の通気経路に前記清浄空気が導入される排気リングを更に備え、前記スリットは、この排気リングに沿って設けられていることを特徴とする。
【００１１】
このような構成とすることにより、一定の断面積を持った空気の流れを実現でき、利用者はより自然な風を感じることができる。
【００１２】
更に、好適な実施形態では、前記モーターは、前記送風ファンと、前記散水機構との双方を駆動することを特徴とする。このような構成とすることにより、シンプルでコンパクトな構成に設計することができる。
【００１３】
更に、好適な実施形態では、前記送風ファンは、遊星ギアを介して前記モーターに係合することで、前記モーターの回転数よりも小さい回転数で回転することを特徴とする。このような構成とすることにより、散水機構と送風ファンをより適切な回転数で回転させることができる。
【００１４】
更に、好適な実施形態では、前記散水機構は、遊星ギアを介して前記モーターに係合することで、前記モーターの回転数よりも小さい回転数で回転することを特徴とする。このような構成とすることにより、水流に伴なう高い周波数の騒音を抑制することができる。
【発明の効果】
【００１５】
本発明に係わる水洗式空気清浄機によれば、清浄空気の風を利用者自身の方へ送ることができ、直接快適さを感じることができるという効果を奏する。
【図面の簡単な説明】
【００１６】
【図１】図１は、本発明の実施例に係る水洗式空気清浄機を示す断面図である。
【図２】図２は、本発明の実施例に係る水洗式空気清浄機の外観を示す斜視図である。
【図３】図３は、図１の本発明の実施例に係る水洗式空気清浄機の変形例を示す。
【図４】図４は、図１のＡーＡ断面図であり、本発明の実施例に係る水洗式空気清浄機の排気リングの断面を示す。
【図５】図５は、本発明の実施例に係る水洗式空気清浄機の隈取モーターに取り付けられた散水撹拌ユニットを示す斜視図である。
【図６】図６は、本発明の実施例に係る水洗式空気清浄機の別の例を示す斜視図である。
【図７】図７は、本発明の実施例に係る水洗式空気清浄機の更に別の例を示す斜視図である。
【図８】図８は、図７のＢーＢ断面図であり、図７に示した水洗式空気清浄機の排気リングの断面を示す。
【図９】図９は、本発明の実施例に係る水洗式空気清浄機の更に別の例を示す斜視図である。
【発明を実施するための形態】
【００１７】
以下、添付図面を参照しながら本発明の実施形態による水洗式空気清浄機を説明する。この水洗式空気清浄機は、散水撹拌により室内空気の洗浄を行う。また、芳香剤の入った空気洗浄液を用いれば、空気清浄の効果に加え、香りを楽しむことが出来るようになる。更に、水が蒸発する際に気化熱をうばうので、冷風扇としての機能を加えることができる。
【００１８】
図１は、本発明の実施例に係る水洗式空気清浄機を示す断面図である。また、図２は、この水洗式空気清浄機の外観を示す斜視図である。
【００１９】
ここで、水洗式空気清浄機１は、ポット１１と、このポット１１に係合して支持される本体１２と、この本体１２と一体的に形成された矩形の排気リング１３とからなる。本体１２は、隈取モーター１４を収納したモーター収納室１５と、このモーター収納室１５の下面から突出した回転軸１５ｒに取り付けられた散水撹拌ユニット１６と、遊星ギア１７を介して回転軸１５ｒに取り付けられた送風ファン１８と、隈取モーター１４への交流電源の供給を制御するスイッチ２０とからなっている。
【００２０】
ポット１１は、切頭円錐形状の透明プラスチックからなり、側面に室内空気を取り入れる為の吸気スリット１１ｓが設けられている。また、ポット１１の上部は開口しており、本体１２の円盤部分１９が、ポット１１の開口に収まり蓋として機能する。
【００２１】
ポット１１の一つの実施形態では、底部の直径が１８０ｍｍ、開口部分の直径が１６０ｍｍ、高さが１５０ｍｍとなっている。また、排気リング１３の幅は、１６０ｍｍとなっている。使用にあたっては、ポット１１に空気洗浄液を含んだ水を、所定の高さまで注入する。
【００２２】
図５は、散水撹拌ユニット１６の構造を示す。この散水撹拌ユニット１６は、互いに接続した上側の撹拌部品１６ａと下側の散水部品１６ｂとからなっている。撹拌部品１６ａには、複数のフィン１６ｆが放射状に設けられている。これらの撹拌部品１６ａと散水部品１６ｂは、樹脂成形で別々に製造され、はめ込み式で容易に分離したり一体化することができる。従って、ユーザーは、分離して掃除することが容易となっている。
【００２３】
下側の散水部品１６ｂは、内部が空洞の略逆円錐形状をしており、下端の丸くなった先端に吸水孔１６ｄが設けられている。また、散水部品１６ｂの上端は、撹拌部品１６ａの下面となだらかに連結するように拡がっており、撹拌部品１６ａの下面との間に４カ所の出水孔１６ｃが設けられている。ポット１１に適量の水が入った状態では、水面の上方に一定距離だけ離れて出水孔１６ｃが位置するようになっている。
【００２４】
使用時において隈取モーター１４が回転すると、略逆円錐形状の散水部品１６ｂの内部の水は、遠心力によって出水孔１６ｃから吐出する。これに伴い吸水孔１６ｄから新たに水が供給され、連続的な散水が行われる。なお、この明細書において、散水とは、水をシャワー状に散布することをいう。
【００２５】
散水の音が騒音に感じられる場合には、吸水孔１６ｄを別部材のストッパー（図では省略）で閉じることで、動作中でも散水を停止することができる。ただし、この場合、水はシャワー状とならない為、空気清浄の効果は減少する。
【００２６】
また、隈取モーター１４が回転すると、遊星ギア１７によって減速されて送風ファン１８も回転する。この送風ファン１８の回転によって、外部の空気が吸気スリット１１ｓを通ってポット１１内に入る。同時に、ポット１１内部の空気が排気リング１３へ押し出される。
【００２７】
隈取モーター１４は、散水撹拌ユニット１６と送風ファン１８の双方を駆動する構造となっている。このような構成とすることにより、シンプルでコンパクトな構成に設計することができる。また、送風ファンは、遊星ギア１７を介して隈取モーター１４に係合することで、前記モーターの回転数よりも小さい回転数で回転することができる。このような構成により、散水撹拌ユニット１６を高速回転させ、散水撹拌の効果を高めることができる。
【００２８】
図１の構成では、散水撹拌ユニット１６が直接モーターへ接続しているが、図３のように、送風ファンを直接モーターへ接続し、散水撹拌ユニット１６を遊星ギア１７ｍを介して隈取モーター１４に係合することもできる。この場合には、散水撹拌ユニット１６はフローティング状態で回転するが、散水撹拌ユニット１６は前記モーターの回転数よりも小さい回転数で回転することになる。ポットの材質にもよるが、回転数を下げるとポットにあたる水流の勢いが小さくなり、そこから出る騒音が小さくなる。
【００２９】
排気リング１３は、本体１２の上面から鉛直方向に設けられ、内部に通気経路が形成されたチューブ状となっている。特に、図４の断面図に示したように、前面に沿ってスリット１３ｓが設けられている。このスリット１３ｓは、排気リング１３の上辺、右辺および左辺に渡って連続的に設けられており、ポット１１内部からの空気は、スリット１３ｓの全体から、柔らかで自然な風の流れとして前方に向かって排出される。
【００３０】
これまでの水洗式の空気清浄機は、単に清浄した空気を室内に戻すという機能のみを持っていた。しかし、空気清浄機から出た空気は、室内の嫌な臭いが取り除かれており、その空気を直接呼吸すればより快適であることは明らかである。従って、この空気清浄機を利用者自身の方へ向ければ、常に清浄な空気に包まれることになる。
【００３１】
また、空気清浄機から出た空気は、清浄されているだけでなく、一旦ポット１１のシャワー状の水を経ているので温度が低く、更に爽やかである。夏などは、ポット１１内の水に氷粒や、保冷剤のボール等を入れておくと、冷風扇に近い効果も期待できる。更に、芳香剤の入った空気洗浄液を用いれば、空気清浄の効果に加え、香りを楽しむことが出来るようになる。
【００３２】
水洗式空気清浄機の本体やポットの形状は、図１に示したものには限らない。例えば、図６に示したようにポット４１の形状を箱型とし、本体４２をその箱の蓋となる形状とし、排気リング４３をハンドルのような形状としても良い。この場合、この排気リング４３を片手で持って、トランクのように移動させることができる。排気リング４３は、図４に示したような断面形状を持っている。
【００３３】
図７の形状も、図６に示したものと同様であるが、排気リング５３は断面は円形で図８の断面図に示したように、断面内側の円周に沿って外側前方に開口したスリット５３ｓが設けられている。図９の形状では、排気リングが円形であり、本体とポットが合体してピラミッドの形状となっている。図９の水洗式空気清浄機の排気リングのスリットも、断面は円形で図８の断面図に示したように、断面内側の円周に沿って外側前方に開口したものである。
【００３４】
以上、本発明を実施形態により詳細に説明したが、当業者にとっては、本発明が本願中に説明した実施形態に限定されるものではないということは明らかである。本発明は、特許請求の範囲の記載により定まる本発明の趣旨及び範囲を逸脱することなく修正及び変更態様として実施することができる。従って、本願の記載は、例示説明を目的とするものであり、本発明に対して何ら制限的な意味を有するものではない。
【産業上の利用可能性】
【００３５】
以上のように、本発明による水洗式空気清浄機は、清浄空気の風を利用者に送って清涼感を与えることができるので、これまでとは異なる用途に利用できる。
【符号の説明】
【００３６】
１  水洗式空気清浄機
１１、４１  ポット
１１ｓ  吸気スリット
１２、４２  本体
１３、４３、５３  排気リング
１３ｓ、５３ｓ  スリット
１４  隈取モーター
１５  モーター収納室
１５ｒ  回転軸
１６  散水撹拌ユニット
１６ａ  撹拌部品
１６ｂ  散水部品
１６ｃ  出水孔
１６ｄ  吸水孔
１７、１７ｍ  遊星ギア
１８  送風ファン
１９  円盤部分
２０  スイッチ
【図１】
2011251014.tif 000003
【図２】
2011251014.tif 000004
【図３】
2011251014.tif 000005
【図４】
2011251014.tif 000006
【図５】
2011251014.tif 000007
【図６】
2011251014.tif 000008
【図７】
2011251014.tif 000009
【図８】
2011251014.tif 000010
【図９】
2011251014.tif 000011